(57)【要約】【課題】本発明は、取りこぼしや引き抜きを発生させることなく、穀稈を円滑に掻き込んで収穫することが出来るコンバインを提供することを課題とする。【解決手段】掻込みオーガ（３３）の前方に、複数のリールタイン（６４）を左右方向のタイン支持杆（６５）に配列して構成される掻込みリール（６１）を設けたコンバインの刈取前処理装置において、タイン支持杆（６５）の左右側部に配列される側部リールタイン（６４ａ）と、タイン支持杆（６５）の左右方向中間部に配列される中間部リールタイン（６４ｂ）とを略同一の線径に形成するとともに、側部リールタイン（６４ａ）の配列間隔を中間部リールタイン（６４ｂ）の配列間隔よりも狭く設定する。【選択図】図７
2014143979.tif 000002
【特許請求の範囲】
【請求項１】
掻込みオーガ（３３）の前方に、複数のリールタイン（６４）を左右方向のタイン支持杆（６５）に配列して構成される掻込みリール（６１）を設けたコンバインの刈取前処理装置において、前記タイン支持杆（６５）の左右側部に配列される側部リールタイン（６４ａ）と、タイン支持杆（６５）の左右方向中間部に配列される中間部リールタイン（６４ｂ）とを略同一の線径に形成するとともに、前記側部リールタイン（６４ａ）の配列間隔を中間部リールタイン（６４ｂ）の配列間隔よりも狭く設定したことを特徴とするコンバインの刈取前処理装置。
【請求項２】
前記側部リールタイン（６４ａ）は２本を一体で形成し、この側部リールタイン（６４ａ）を左右方向の一側部に１つ備えたタイン支持杆（６５）と、この側部リールタイン（６４ａ）を左右方向の一側部に複数備えたタイン支持杆（６５）とを、前記掻込みリール（６１）の回転方向において交互に配置した請求項１記載のコンバインの刈取前処理装置。
【請求項３】
前記側部リールタイン（６４ａ）がタイン支持杆（６５）から垂下する長さを、中間部リールタイン（６４ｂ）よりも長くした請求項１または請求項２に記載のコンバインの刈取前処理装置。
【請求項４】
前記側部リールタイン（６４ａ）の垂下姿勢を、中間部リールタイン（６４ｂ）の垂下姿勢よりも掻込側に急傾斜させた請求項１または請求項２または請求項３に記載のコンバインの刈取前処理装置。
【発明の詳細な説明】
【技術分野】
【０００１】
本発明は、植立穀稈を刈取り装置に掻き込む回転リールを設けたコンバインの刈取前処理装置に関する。
【背景技術】
【０００２】
従来のコンバインの刈取前処理装置として、特開２００９−３９０２６号公報には、左右一対の支持アームの先端部に回転自在に支持された駆動軸と、この駆動軸の左右端部に一体回転自在に設けた側面視で五角形の左右リール枠と、該左右リール枠にわたって五つの頂部に一本ずつ配置するタイン支持杆とを備え、該タイン支持杆に所定間隔でリールタインを下方に向かって吊り下げた構成とした回転リールを設けている。
【先行技術文献】
【特許文献】
【０００３】
【特許文献１】特開２００９−３９０２６号公報
【発明の概要】
【発明が解決しようとする課題】
【０００４】
前記の回転リールを回転すると、タインが倒れている植立穀稈を引き起こしながら刈取り装置に送り込むが、回転リールの左右側部では、未刈り地の植立穀稈が刈取り対象穀稈に絡み付いて抵抗が大きくなって、掻込不足が生じることが有る。
【０００５】
このために、前記特許文献１に記載の従来技術では、タイン支持杆に回転リールの回転軸方向に複数配置されるリールタインのうちの、回転リール横端側に位置する側部リールタインの線径を、回転リールの内側に位置する中間部リールタインの線径よりも大に設定することで掻き込み抵抗の増加に対応するようにしている。
【０００６】
このように、線径が大きく形成された側部リールタインは、植立穀稈に強い掻き送り作用を与えることができるが、その強力な掻き込み作用で穀稈が引き千切られたり引き抜かれたりして、穂先が圃場に落下することで収穫漏れを生じるようになる。
【０００７】
本発明では、機体前面の植立穀稈を引き千切ることなく滑らかに刈取り装置に掻き込んで収穫漏れの少ない汎用コンバインの刈取前処理装置とすることを課題とする。
【課題を解決するための手段】
【０００８】
上記本発明の課題は、次の技術手段により解決される。
請求項１に記載の発明は、掻込みオーガ（３３）の前方に、複数のリールタイン（６４）を左右方向のタイン支持杆（６５）に配列して構成される掻込みリール（６１）を設けたコンバインの刈取前処理装置において、前記タイン支持杆（６５）の左右側部に配列される側部リールタイン（６４ａ）と、タイン支持杆（６５）の左右方向中間部に配列される中間部リールタイン（６４ｂ）とを略同一の線径に形成するとともに、前記側部リールタイン（６４ａ）の配列間隔を中間部リールタイン（６４ｂ）の配列間隔よりも狭く設定したことを特徴とするコンバインの刈取前処理装置とする。
【０００９】
請求項２に記載の発明は、前記側部リールタイン（６４ａ）は２本を一体で形成し、この側部リールタイン（６４ａ）を左右方向の一側部に１つ備えたタイン支持杆（６５）と、この側部リールタイン（６４ａ）を左右方向の一側部に複数備えたタイン支持杆（６５）とを、前記掻込みリール（６１）の回転方向において交互に配置した請求項１記載のコンバインの刈取前処理装置とする。
【００１０】
請求項３に記載の発明は、前記側部リールタイン（６４ａ）がタイン支持杆（６５）から垂下する長さを、中間部リールタイン（６４ｂ）よりも長くした請求項１または請求項２に記載のコンバインの刈取前処理装置とする。
【００１１】
請求項４に記載の発明は、前記側部リールタイン（６４ａ）の垂下姿勢を、中間部リールタイン（６４ｂ）の垂下姿勢よりも掻込側に急傾斜させた請求項１または請求項２または請求項３に記載のコンバインの刈取前処理装置とする。
【発明の効果】
【００１２】
請求項１に記載の発明によれば、配列間隔の狭い側部リールタイン（６４ａ）が中間部リールタイン（６４ｂ）と略同一の線径で形成されているので、掻込みリール（６１）の左右側部で絡みあう穀稈を側部リールタイン（６４ａ）で弾力的に掻き込むので、穀稈を引き千切ることを防止しながら、効率的に掻込みオーガ（３３）側へ掻き込むことができる。
【００１３】
請求項２に記載の発明によれば、請求項１に記載の発明による効果に加えて、２本が一体形成された側部リールタイン（６４ａ）を左右方向の一側部に１つ備えるタイン支持杆（６５）と、この側部リールタイン（６４ａ）を左右方向の一側部に複数備えるタイン支持杆（６５）とを、前記掻込みリール（６１）の回転方向において交互に配置しているので、穀稈の取りこぼしを低減しながら、更に効率的に掻込みオーガ（３３）側へ掻き込むことができる。
【００１４】
請求項３に記載の発明によれば、請求項１または請求項２に記載の発明による効果に加えて、中間部リールタイン（６４ｂ）よりも垂下長さを長く形成した側部リールタイン（６４ａ）が、穀稈の束の株元側の部位に入り込むので、刈取対象穀稈と非刈取対象穀稈を効率的に分草しながら掻込みオーガ（３３）側へ掻き込むことができる。
【００１５】
請求項４に記載の発明で、側部リールタイン（６４ａ）の垂下姿勢を、中間部リールタイン（６４ｂ）の垂下姿勢よりも掻込側に急傾斜させているので、非刈取対象穀稈と絡んだ刈取対象穀稈を側部リールタイン（６４ａ）に確実に係合させて、穀稈の取りこぼしを少なくすることができる。
【図面の簡単な説明】
【００１６】
【図１】汎用コンバインの右側面図である。
【図２】汎用コンバインの平面図である。
【図３】刈取前処理装置の側断面図である。
【図４】（ａ）は要部拡大左側面図であり、（ｂ）は要部拡大正面図である。
【図５】要部拡大左側面図である。
【図６】掻込リールの側面図である。
【図７】掻込リールの一部側面図である。
【図８】リールタインの拡大側面図である。
【図９】別実施例のリールタインの拡大側面図である。
【図１０】オーガフレーム側壁の左側面図である。
【図１１】第一刈刃カバーの側面図である。
【図１２】第二刈刃カバーの側面図である。
【図１３】エンジンルームの後部を示す汎用コンバインの左側面図である。
【図１４】エンジンルームの右側断面図である。
【図１５】第一実施例の汎用コンバインの正面図である。
【図１６】同上の一部分解正面図である。
【図１７】第二実施例の汎用コンバインの正面図である。
【図１８】第三実施例の一部分解正面図である。
【図１９】汎用コンバインの伝動線図である。
【発明を実施するための形態】
【００１７】
以下、本発明の実施形態を図面に示す実施例を参照しながら説明する。なお、本明細書において汎用コンバインの前進方向に向かって左右方向をそれぞれ左、右といい、前進方向を前、後進方向を後という。
【００１８】
汎用コンバイン１の車台２の下方には土壌面を走行する為の左右一対のクローラからなる走行装置３が設けられ、車台２の上方左側には脱穀・選別を行なう脱穀装置４が設けられ、脱穀装置４の前方には圃場の穀桿を収穫する刈取前処理装置５が設けられている。脱穀装置４で脱穀・選別された穀粒は脱穀装置４の右側に設けられたグレンタンク６に貯留され、貯留された穀粒は穀粒排出筒７により外部へ排出される。又、車台２の上方右側には操作者が搭乗する操作席を備えたキャビン８が設けられている。
【００１９】
図１〜図３に示すように、脱穀装置４の前方に設けられた刈取前処理装置５は、フィーダハウス２０と、オーガ装置３０と、横刈刃装置５０と、掻込み装置６０、及び縦刈刃装置８０から構成されている。
【００２０】
（フィーダハウス）
フィーダハウス２０は、前方のオーガ装置３０と後方の脱穀装置４との間に設けられ、掻込みオーガ３３の回動により送込口３２の前方に寄せ集められた稲、麦、大豆、そば等の穀桿を脱穀装置４に搬送する装置である。
【００２１】
フィーダハウス２０の前部には、枠体２１に支持された従動軸２７に左右一対のスプロケット２７Ａ，２７Ｂが軸支され、フィーダハウス２０の後部には、枠体２１に支持された駆動軸２６に左右一対のスプロケット２６Ｂ，２６Ｃが軸支され、スプロケット２７Ａ，２７Ｂとスプロケット２６Ｂ，２６Ｃにはフィーダチェン１２Ａ，１２Ｂが巻き掛けられている。
【００２２】
又、フィーダハウス２０の前部には、枠体２１に支持された伝動軸２２に刈取伝動プーリ２３、リール伝動スプロケット２４及びオーガ伝動スプロケット２８Ｂが軸支されている。
【００２３】
（オーガ装置）
オーガ装置３０は、フィーダハウス２０の前方に汎用コンバイン１の略全幅に亘って設けられている。オーガ装置３０は、掻込み装置６０で掻込まれた穀桿を後板３１ｂの左側下部に形成された送込口３２の前方に寄せ集め、穀桿をフィーダハウス２０に移送する装置である。
【００２４】
オーガ装置３０のオーガフレーム３１は、左右一対の側壁３１ａ，３１ａと、側壁３１ａ，３１ａの後部を連結する後板３１ｂと、側壁３１ａ，３１ａの後部と後板３１ｂの下部を連結するテーブル３１ｃによって構成され、側壁３１ａ，３１ａ、後板３１ｂ、及びテーブル３１ｃで穀桿の集送作用域３１ｅを形成する。又、側壁３１ａ，３１ａの前端部には圃場の穀桿を分ける分草体３９，３９が設けられており、テーブル３１ｃの前端部には後述する横刈刃装置５０が設けられている。
【００２５】
側壁３１ａは、側面視において略多角形状に形成されており、側壁３１ａの上端部は前部から後部に後上がり傾斜し、側壁３１ａの下端部は前部から中間部に亘り略水平に形成され、中間部から後部に亘り下方に円弧状に突出して形成されている。
【００２６】
後板３１ｂは、正面視において略長方形に形成され、テーブル３１ｃは側面視において前部は略水平に形成され、後部は下方に円弧状に突出して形成されている。
なお、オーガフレーム３１は、鋼材からなる側壁３１ａ，３１ａと後板３１ｂとテーブル３１ｃを溶接により一体形成することもでき、又、一枚の鋼材を切断・折曲げにより一体形成することもできる。更に、側壁３１ａ等の形状は、上述の形状に限定されることはなく用途に合わせ任意の形状に形成することができる。
【００２７】
掻込みオーガ３３は、左右の一対の側壁３１ａ，３１ａに支持された駆動軸３４に軸支されている。又、掻込みオーガ３３の外周には、移送されてきた穀桿を送込口３２の前方に寄せ集める為に左側に向かって傾斜した搬送螺旋が設けられ、送込口３２の前方での穀桿の滞留を防止する為に送込口３２の前方に位置する掻込みオーガ３３の外周には掻込みフィンガー３６が設けられている。
【００２８】
なお、掻込みフィンガー３６は、駆動軸３４に軸支されたアーム３７の前部に回転自在に設けられており掻込みオーガ３３の外周に設けられたフィンガー孔に挿通されている。
（横刈刃装置）
横刈刃装置５０は、掻込み装置６０で掻込まれた穀桿、縦刈刃装置８０で切断された油菜、菜の花等の丈の高い穀桿等の株元を切断する装置であり、オーガ装置３０のテーブル３１ｃの前端部に設けられ、側面視において前部から後上がり傾斜している。この横刈刃装置５０は、固定状態の水平下刃５２と、水平下刃５２を支持する水平刈刃プレート５３と、水平下刃５２と水平刈刃プレート５３によって形成された隙間を左右方向に往復摺動する水平上刃５１から構成されている。水平上刃５１の基部の左側上端部には凹部が形成され、凹部には第一揺動腕５６の先端部が嵌入されている。刈取伝動スプロケット２４の回動はベルト５５によって水平刈刃伝動ボックス５４に伝動され、第一揺動腕５６は水平刈刃伝動ボックス５４によって前後方向に往復揺動し、第一揺動腕５６の往復揺動に伴って水平上刃５１が左右方向に移動し、水平上刃５１が水平下刃５２と水平刈刃プレート５３の間を往復摺動する。なお、横刈刃装置５０は、本実施形態に限定されることはなく、藁屑の堆積を防止する為に、左側に位置する水平上刃と右側に位置する水平上刃を夫々別体に形成し、左側の水平上刃と右側の水平上刃を互いに反対方向に往復摺動させる構成とすることもできる。
【００２９】
図１０の如く、掻込みオーガ３３の左右側壁３１ａ，３１ａの外側に、横刈刃装置５０の水平上刃５１が左右に突出する端部を覆う板状の刈刃カバー４９を横下方に張り出して設けている。この刈刃カバー４９は、図１０の第一刈刃カバー４９ａの如く直線的に張り出したり、図１２の第二刈刃カバー４９ｂの如く先端を下方へ折り曲げたりする。なお、第一刈刃カバー４９ａと第二刈刃カバー４９ｂの先端下部は水平切欠き部４８として雑草などが絡み付かないようにしている。
【００３０】
図１３と図１４は、キャビン８内部の操縦席下方に設けるエンジンルーム４２を示し、このエンジンルーム４２の後側を平板状の後板４６と、エンジン９から後下方へ向けて設けるマフラー４３を覆うマフラーカバー４５とで構成している。マフラーカバー４は後板４６から後方へ張り出してその上部４５ａを後下方へ傾斜させていて、このマフラーカバー４上の後板開口部４６ａにエアークリーナ５８からエンジン９に繋ぐ吸気管５９を通している。
【００３１】
エンジン９からの排気が後板開口部４６ａからマフラーカバー４５の上部４５ａを通って流れることで上部４５ａに藁屑が溜まらない。
マフラー４３に繋ぐ排気管４４の上部は排気管カバー４７で覆っている。
【００３２】
図１５と図１６は、横刈刃装置５０の後上部に除草バー４０を設けた実施例で、除草バー４０を水平上刃５１を支持する第一揺動腕５６の揺動軸５８に対して水平上刃５１と同じ側で右支持アーム５７の間に取り付け、水平上刃５１の左右往復摺動と共に同方向へ左右往復揺動して、除草バー４０に所定間隔で配列する送り突起４０ａで横刈刃装置５０上に溜まる穀稈の切屑や雑草を払い落すようにしている。
【００３３】
図１７は、除草バー４０を水平上刃５１を支持する第一揺動腕５６の揺動軸５８に対して水平上刃５１と反対側で右支持アーム５７の間に取り付け、水平上刃５１の左右往復摺動と共に逆方向へ左右往復揺動するようにしている。
【００３４】
なお、図１８に示す如く、除草バー４０の左端部を連結杆４１で第一揺動腕５６に連結して第一揺動腕５６より左側方へ突出させると、穀稈の切屑や雑草を横刈刃装置５０の遠くへ排除できる。
【００３５】
また、送り突起４０ａ付きの除草バー４０に代えて螺旋翼を巻回した螺旋軸を左右揺動するようにしても良い。
上記の構成に代えて、水平刈刃プレート５３に左右所定間隔でワイパ杆を立設枢着して水平上刃５１の左右揺動でワイパ杆が左右に首振り運動をするようにしても良い。
【００３６】
（掻込み装置）
掻込み装置６０は、倒伏した穀桿、大豆、そば等の丈の低い穀桿、及び油菜、菜の花等の丈の高い穀桿をオーガ装置３０に掻込む装置であり、オーガ装置３０の約全幅に亘ってオーガ装置３０の上側前方に設けられている。
【００３７】
掻込み装置６０は、リール支持アーム６３と、リール支持アーム６３の前部の回転自在に支持された第二中心軸（リール中心軸）６２に軸支された側面視において略五角形状または略六角形状に形成された掻込みリール６１とから構成されている。
【００３８】
掻込みリール６１は、五箇所の各隅部に軸方向に所定間隔で複数のリールタイン６４が吊下げられたタイン支持杆６５を有し、リール支持アーム６３の基部は、オーガ装置３０の後板３１ｂに設けられた支持部材６６に回転自在に支持され、リール支持アーム６３の中間部には、リール支持アーム６３を上下方向に昇降させる油圧シリンダ等の昇降装置６７が設けられている。なお、昇降装置６７の後部は、オーガ装置３０の側壁３１ａに回転自在に支持されている。
【００３９】
図６と図７は、掻込みリール６１の第一実施例で、支持杆６５に配列するリールタイン６４の配列間隔を左右方向中間部に設ける中間部リールタイン６４ｂと側壁３１ａ近くに設ける側部リールタイン６４ａで異ならせている。すなわち、側壁３１ａ近くの２本或いは４本の側部リールタイン６４ａの配列間隔を狭く、中間部リールタイン６４ｂの配列間隔を広くすることで、掻きこむ穀稈の多い側壁３１ａの近くで側部リールタイン６４ａが中間部リールタイン６４ｂよりも掻き込む作用を強くすることで穀稈を逃がさずにオーガ装置３０へ送り込むようになる。しかも側部リールタイン６４ａと中間部リールタイン６４ｂを同径の線材で構成することで、側部リールタイン６４ａが穀稈を引き千切るようなことが無い。
【００４０】
第一支持杆６５ａに側部リールタイン６４ａを一端側に２本で他端側に４本とし、第二支持杆６５ｂに側部リールタイン６４ａを一端側に４本で他端側に２本とし、側壁３１ａの円周方向で第一支持杆６５ａと第二支持杆６５ｂを交互に取り付けることで、片側の側壁３１ａには、２本と４本の側部リールタイン６４ａが交互にくるようにしても良い。
【００４１】
側部リールタイン６４ａの長さは中間部リールタイン６４ｂと同じでも良いが、図８の如く、側部リールタイン６４ａを長くしたり、図９の如く側部リールタイン６４ａを中間部リールタイン６４ｂよりも掻き込み側へ角度をつけたりして、掻き込み作用を強くしても良い。
【００４２】
なお、側部リールタイン６４ａ及び中間部リールタイン６４ｂは、２本を１組として、一体形成されており、この２本のリールタインの配列間隔が、側部リールタイン６４ａと中間部リールタイン６４ｂとで相違している。
【００４３】
リール支持アーム６３の後部に回転自在に支持された第一中心軸６８には、第一従動スプロケット６９、第一駆動スプロケット７０が軸支されており、リール支持アーム６３の前部に回転自在に支持された第二中心軸６２には、第二従動スプロケット７４、第二駆動スプロケット７５が軸支されている。又、後述する縦刈刃装置８０の下ブラケット９７に支持された回転軸８５には、回転クランク（揺動駆動機構）８７、第三従動スプロケット８８が軸支されている。
【００４４】
フィーダハウス２０の伝動軸２２に軸支されたリール伝動スプロケット２４と第一従動スプロケット６９には第一リール駆動チェン７２が巻き掛けられ、第一駆動スプロケット７０と第二従動スプロケット７４には第二リール駆動チェン７３が巻き掛けられており、リール伝動スプロケット２４の回動は第二従動スプロケット７４に伝動される。
【００４５】
第二駆動スプロケット７５と第三従動スプロケット８８には第一縦刈刃駆動チェン８９が巻き掛けられており、第二従動スプロケット７４の回動は第三従動スプロケット８８に伝動される。
【００４６】
第三従動スプロケット８８の回動は回転クランク８７に伝動され、後述する縦刈刃装置８０の縦可動刃８１を縦固定刃８２の上面を上下方向に摺動する。なお、第一縦刈刃駆動チェン８９の張力は、下方にバネ等が付設されている張力調整スプロケット９９により調整されている。
【００４７】
（縦刈刃装置）
縦刈刃装置８０は、オーガフレーム３１の左側の側壁３１ａの上方で絡みあった集送作用域３１ｅの内側に移送される穀桿と集送作用域３１ｅの外側の穀桿を切断する装置であり、図４に示すように、縦刈刃装置８０は、上下方向の略中心部に設けられた第一、二支持プレート９２Ａ，９２Ｂを介して掻込み装置６０のリール支持アーム６３の前端部に取付けられている。
【００４８】
縦刈刃装置８０は、固定状態の縦固定刃８２と、縦固定刃８２を支持する縦刈刃プレート８３と、縦固定刃８２と縦刈刃プレート８３によって形成された隙間を上下方向に往復摺動する縦可動刃８１から構成されている。
【００４９】
縦刈刃プレート８３の右側上部には後側に向かって突出する上ブラケット９１が設けられ、縦刈刃プレート８３の上下方向の右側中心部には後側に向かって延在する第一支持プレート９２Ａが設けられている。又、縦刈刃プレート８３の後方には縦刈刃プレート８３と平行にＬ型鋼材からなるフレーム９３が設けられている。
【００５０】
フレーム９３の上部は上ブラケット９１にボルト等の連結手段によって装着されており、フレーム９３の下端部には後側に向かって延在する第二支持プレート９２Ｂが設けられており、第二支持プレート９２Ｂは第一プレート９２Ａと対向している。
【００５１】
第一、二支持プレート９２Ａ，９２Ｂには、図５に示すように、ボルト等の第一締結手段９４Ａを締結する孔９４Ｃの前側に第二締結手段９４Ｂを締結する円弧孔９５，９６が形成されている。円弧孔９５，９６は、使用状態に応じて縦刈刃装置８０の取付姿勢を変更する為に、第一締結手段９４Ａから一定の距離を隔てて上孔９５Ａ，９６Ａと、中心孔９５Ｂ，９６Ｂ、及び下孔９５Ｃ，９６Ｃが形成され、上孔９５Ａ，９６Ａと中心孔９５Ｂ，９６Ｂ、及び中心孔９５Ｂ，９６Ｂと下孔９５Ｃ，９６Ｃとは連通孔により連結されている。なお、連通孔の前後方向の幅は上孔９５Ａ，９６Ａ等の孔径よりも狭く形成されている。
【００５２】
リール支持アーム６３の前端部には、図示を省略しているが、第一、二支持プレート９２Ａ，９２Ｂの孔９４Ｃ，９４Ｄ、円弧孔９５，９６に対向する部位にそれぞれ貫通孔が形成されている。
【００５３】
縦刈刃装置８０をリール支持アーム６３の前部に装着する場合、縦刈刃装置８０の第一、二支持プレート９２Ａ，９２Ｂの孔９４Ｃ，９４Ｄとリール支持アーム６３の貫通孔に第一締結手段９４Ａを嵌挿して連結し、第一、二支持プレート９２Ａ，９２Ｂの円弧孔９５，９６とリール支持アーム６３の貫通孔に第二締結手段９４Ｂを嵌挿して連結する。  又、縦刈刃装置８０の取付姿勢を変更する場合、縦刈刃装置８０の第一、二支持プレート９２Ａ，９２Ｂの孔９４Ｃ，９４Ｄとリール支持アーム６３の貫通孔に第一締結手段９４Ａを嵌挿して連結した状態で、第一、二支持プレート９２Ａ，９２Ｂの円弧孔９５，９６とリール支持アーム６３の貫通孔から第二締結手段９４Ｂを取外し、縦刈刃装置８０を第一締結手段９４Ａを中心に上下方向に回動させた後、再び第一、二支持プレート９２Ａ，９２Ｂの円弧孔９５，９６とリール支持アーム６３の貫通孔に第二締結手段９４Ｂを嵌挿して連結する。なお、第一締結手段９４Ａ、第二締結手段９４Ｂはボルトに限定されることはなく、キー、ピン等を使用することができる。
【００５４】
第一プレート９２Ａの下部には、後側に向かって延在する下ブラケット９７が設けられている。下ブラケット９７に回転自在に支持された回転軸８５には、回転クランク８７と第三従動スプロケット８８が軸支されており、第二駆動スプロケット７５と第三従動スプロケット８８に巻き掛けた第一縦刈刃駆動チェン８９によって、第二駆動スプロケット７５の回動を第三従動スプロケット８８に伝動し、回転クランク８７を回動させる。
【００５５】
縦可動刃８１の基部には、後側に向かって延在するプレート９８が設けられ、プレート９８の後端部には回転クランク８７のクランクアームの先端部に軸支されたカムローラ８６が嵌入される凹部８４が形成されている。回転クランク８７が回動した場合、回転クランク８７のカムローラ８６は回転軸８５を中心に凹部８４を円弧状に移動し、プレート９６を上下方向に移動させ、縦可動刃８１を上下方向に往復摺動させる。
【００５６】
（動力伝達）
図１９に示すように、エンジンの駆動力は走行用油圧式無段変速装置１０に伝動され、走行用油圧式無段変速装置１０に軸支されたスプロケット１０Ａとフィーダハウス２０の後部に支持された駆動軸２６に軸支されたスプロケット２６Ａに巻き掛けられたチェン１１を介してスプロケット２６Ａに伝動される。
【００５７】
スプロケット２６Ａに伝動された回動は駆動軸２６を介してスプロケット２６Ｂ〜２６Ｄに伝動され、スプロケット２６Ｂ，２６Ｃに伝動された回動はスプロケット２６Ｂ，２６Ｃとフィーダハウス２０の前部に支持された従動軸２７に軸支されたスプロケット２７Ａ，２７Ｂに巻き掛けられたフィーダチェン１２Ａ，１２Ｂを介してスプロケット２７Ａ，２７Ｂに伝動され、図３等に示すフィーダハウス２０のスプロケット２７Ａ，２７Ｂを反時計方向に回動させる。
【００５８】
スプロケット２６Ｄに伝動された回動はスプロケット２６Ｄとフィーダハウス２０の前部に支持された伝動軸２２に軸支されたスプロケット２８Ａに巻き掛けられたチェン１３Ａを介してスプロケット２８Ａに伝動され、スプロケット２８Ａに伝動された回動は伝動軸２２を介して刈取伝動プーリ２３、リール伝動スプロケット２４、オーガ伝動スプロケット２８Ｂに伝動され、伝動軸２２には刈取伝動プーリ２３とリール伝動スプロケット２４に伝動を切換えるクラッチ装置２５が設けられている。オーガ伝動スプロケット２８Ｂに伝動された回動はオーガ伝動スプロケット２８Ｂと掻込みオーガ３３の駆動軸３４に軸支されたスプロケット３４Ａに巻き掛けられたチェン１３Ｂを介してスプロケット３４Ａに伝動され、図３等に示す掻込みオーガ３３を反時計方向に回動させる。
【００５９】
リール伝動スプロケット２４に伝動された回動はリール伝動スプロケット２４と掻込み装置６０の後部の第一中心軸６８に軸支された第一従動スプロケット６９に巻き掛けられた第一リール駆動チェン７２を介して第一従動スプロケット６９に伝動され、第一従動スプロケット６９に伝動された回動は第一中心軸６８を介して第一駆動スプロケット７０に伝動される。第一駆動スプロケット７０に伝動された回動は第一駆動スプロケット７０と掻込み装置６０の前部の第二中心軸６２に軸支された第二従動スプロケット７４に巻き掛けられた第二リール駆動チェン７３を介して第二従動スプロケット７４に伝動され、図３等に示す掻込みリール６１を反時計方向に回動させる。
【００６０】
第二従動スプロケット７４に伝動された回動は第二中心軸６２を介して第二駆動スプロケット７５に伝動され、第二駆動スプロケット７５に伝動された回動は第二駆動スプロケット７５と回転軸８５に軸支された第三スプロケット８８に巻き掛けられた第一縦刈刃駆動チェン８９を介して第三スプロケット８８に伝動され、第三スプロケット８８に伝動された回動は回転クランク８７を介して縦刈刃装置８０に伝動され、図３等に示す縦刈刃装置８０の縦可動刃８１を上下方向に往復摺動させる。
【００６１】
刈取伝動プーリ２３に伝動された回動は刈取伝動プーリ２３と水平刈刃伝動ボックス５４のプーリ５４Ａに巻き掛けられたベルト５５を介してプーリ５４Ａに伝動され、プーリ５４Ａに伝動された回動は水平刈刃伝動ボックス５４を介して横刈刃装置５０に伝動され、横刈刃装置５０の水平上刃５１を左右方向に往復摺動させる。
【符号の説明】
【００６２】
５    刈取前処理装置
３３    掻込みオーガ
６１    掻込みリール
６４    リールタイン
６４ａ  側部リールタイン
６４ｂ  中間部リールタイン
６５    タイン支持杆
【図１】
2014143979.tif 000003
【図２】
2014143979.tif 000004
【図３】
2014143979.tif 000005
【図４】
2014143979.tif 000006
【図５】
2014143979.tif 000007
【図６】
2014143979.tif 000008
【図７】
2014143979.tif 000009
【図８】
2014143979.tif 000010
【図９】
2014143979.tif 000011
【図１０】
2014143979.tif 000012
【図１１】
2014143979.tif 000013
【図１２】
2014143979.tif 000014
【図１３】
2014143979.tif 000015
【図１４】
2014143979.tif 000016
【図１５】
2014143979.tif 000017
【図１６】
2014143979.tif 000018
【図１７】
2014143979.tif 000019
【図１８】
2014143979.tif 000020
【図１９】
2014143979.tif 000021